(57)【要約】【課題】モニタ親機やモニタ増設親機の終端設定を自動的に行なう。【解決手段】本発明のテレビインターホン装置は、カメラ付玄関子機１００からモニタ親機２００、モニタ増設親機３００を呼び出し、カメラで撮像された映像をＣＲＴユニット２０４、３０４で視認しながらカメラ付玄関子機の通話装置１０７とモニタ親機の通話装置２１３、モニタ増設親機の通話装置３１１との間で通話を行なうテレビインターホン装置であって、モニタ増設親機は、モニタ増設親機が接続されていることを知らせる増設親機接続信号をモニタ親機に通知する増設接続通知回路３１７を有しており、また、モニタ親機は、増設接続通知回路からの増設親機接続信号を検出する増設接続検出回路２０５と、増設接続検出回路の出力信号の有無により終端の切断、入接設定を行う終端入切回路２０６とを有している。【選択図】図１
2006279787.tif 000002
【特許請求の範囲】
【請求項１】
カメラ付玄関子機（１００）からモニタ親機（２００）、モニタ増設親機（３００）を呼び出し、カメラで撮像された映像をＣＲＴユニット（２０４、３０４）で視認しながら前記カメラ付玄関子機の通話装置（１０７）と前記モニタ親機の通話装置（２１３）、前記モニタ増設親機の通話装置（３１１）との間で通話を行なうテレビインターホン装置であって、
前記モニタ増設親機は、前記モニタ増設親機が接続されていることを知らせる増設親機接続信号を前記モニタ親機に通知する増設接続通知回路（３１７）を有し、
前記モニタ親機は、前記増設接続通知回路からの増設親機接続信号を検出する増設接続検出回路（２０５）と、前記増設接続検出回路の出力信号の有無により終端の切断、入接設定を行う終端入切回路（２０６）とを有することを特徴とするテレビインターホン装置。
【発明の詳細な説明】
【技術分野】
【０００１】
本発明はテレビインターホン装置に係り、特にモニタ増設親機の接続の有無を自動的に検出し、終端入切回路の設定を自動的に行なうことができるテレビインターホン装置に関する。
【背景技術】
【０００２】
従来から、この種のテレビインターホン装置として、カメラ付玄関子機にモニタ親機およびモニタ増設親機を順次直列に接続し、カメラ付玄関子機からモニタ親機、モニタ増設親機の何れかを呼び出し、呼び出された側でカメラ付玄関子機からの映像を見ながらカメラ付玄関子機と通話することができるような構成のものが知られている（例えば、特許文献１参照）。
【０００３】
【特許文献１】特開２００１−２３７９７４号公報（段落番号０００２〜００１７、図２）
【発明の開示】
【発明が解決しようとする課題】
【０００４】
ところで、このような構成のテレビインターホン装置においては、ＦＭ変調された映像信号のマッチングをとるために、モニタ増設親機が接続されている場合は、手動によりモニタ親機の終端設定スイッチを開放側に設定しなければならず、また、モニタ増設親機が接続されていない場合は、モニタ親機の終端設定スイッチを手動により接続端子側に設定しなければならないという難点があった。また、かかる終端設定スイッチの設定作業が手動により行なわれることから、作業者が設定を誤ったり、また設定を忘れたりする等の難点もあった。
【０００５】
本発明は、このような難点を解決するためになされたもので、増設接続検出回路からの出力信号の有無により、終端入切回路における終端の切断、入接設定を自動的に行なうことができるテレビインターホン装置を提供することを目的としている。
【課題を解決するための手段】
【０００６】
上記の目的を達成するため、本発明のテレビインターホン装置は、カメラ付玄関子機からモニタ親機、モニタ増設親機を呼び出し、カメラで撮像された映像をＣＲＴユニットで視認しながらカメラ付玄関子機の通話装置とモニタ親機の通話装置、モニタ増設親機の通話装置との間で通話を行なうテレビインターホン装置であって、モニタ増設親機は、モニタ増設親機が接続されていることを知らせる増設親機接続信号をモニタ親機に通知する増設接続通知回路を有し、モニタ親機は、増設接続通知回路からの増設親機接続信号を検出する増設接続検出回路と、増設接続検出回路の出力信号の有無により終端の切断、入接設定を行う終端入切回路とを有するものである。
【発明の効果】
【０００７】
本発明のテレビインターホン装置によれば、モニタ親機にモニタ増設親機が接続されると、増設接続通知回路から自動的に増設親機接続信号がモニタ親機の増設接続検出回路へ流れ、増設接続検出回路の出力信号の有無により、終端入切回路における終端の切断、入接設定を自動的に行うことができる。従って、本発明の本発明のテレビインターホン装置によれば、施工時における終端入切回路の終端設定を省くことができ、また、作業者が設定を誤ったり、設定を忘れたりする等のおそれを防止することができる。
【発明を実施するための最良の形態】
【０００８】
以下、本発明のテレビインターホン装置の好ましい実施の形態例について、図面を参照して詳述する。
［第１の実施例］
図１は、本発明の第１の実施例におけるテレビインターホン装置のブロック図を示している。
【０００９】
同図において、本発明のテレビインターホン装置は、屋外に設置されるカメラ付玄関子機１００と、屋内に設置されるモニタ親機２００およびモニタ増設親機３００とを備えており、モニタ親機２００は、第１のケーブルＬ１を介してカメラ付玄関子機１００に、第２のケーブルＬ２を介してモニタ増設親機３００にそれぞれ接続されている。
【００１０】
カメラ付玄関子機１００は、カメラ１０１、ＦＭ変調回路１０２、不平衡ー平衡変換回路１０３、ＬＰＦ（ローパスフィルター）１０４、起動電圧検出回路１０５、呼出ボタン１０６、スピーカ１０７ａとマイク（以下「子機マイク」という。）１０７ｂから構成される通話装置（以下「子機通話装置」という。）１０７、スピーカアンプ１０８、マイクアンプ１１０、２線４線変換回路（以下「子機２線４線変換回路」という。）１１１および出力端子（以下「子機端子」という。）Ｔ１を備えている。ここで、カメラ１０１は、ＦＭ変調回路１０２を介して不平衡−平衡変換回路１０３に接続され、この不平衡−平衡変換回路１０３には子機端子Ｔ１を介して第１のケーブルＬ１が接続されている。また、子機端子Ｔ１は、ＬＰＦ１０４を介して、起動電圧検出回路１０５、呼出ボタン１０６および子機２線４線変換回路１１１に接続され、起動電圧検出回路１０５にはカメラ１０１、ＦＭ変調回路１０２、スピーカアンプ１０８およびマイクアンプ１１０が接続されている。さらに、子機２線４線変換回路１１１は、スピーカアンプ１０８およびマイクアンプ１１０に接続され、スピーカアンプ１０８にはスピーカ１０７ａが、マイクアンプ１１０には子機マイク１０７ｂがそれぞれ接続されている。
【００１１】
モニタ親機２００は、平衡ー不平衡変換回路（以下「親機平衡ー不平衡変換回路」という。）２０１、ＦＭ復調回路（以下「親機ＦＭ復調回路」という。）２０２、ビデオアンプ（以下「親機ビデオアンプ」という。）２０３、ＣＲＴユニット（以下「親機ＣＲＴユニット」という。）２０４、増設接続検出回路２０５、終端入切回路２０６、出画制御回路（以下「親機出画制御回路」という。）２０７、データ送受信回路（以下「親機データ送受信回路」という。）２０８、２線４線変換回路（以下「親機２線４線変換回路」という。）２０９、玄関子機起動電源送出回路２１０、受話アンプ（以下「親機受話アンプ」という。）２１１、送話アンプ（以下「親機送話アンプ」という。）２１２、レシーバ（以下「親機レシーバ」という。）２１３ａとマイク（以下「親機マイク」という。）２１３ｂから構成される通話装置（以下「親機通話装置」という。）２１３、呼出検出回路２１４、フックスイッチ（以下「親機フックスイッチ」という。）２１５、ＣＰＵ（以下「親機ＣＰＵ」という。）２１６、呼出音アンプ（以下「親機呼出音アンプ」という。）２１７、拡声スピーカ（以下「親機拡声スピーカ」という。）２１８、電源回路２１９（以下「親機電源回路２１９」という。）、入力端子Ｔ２ａ（以下「親機入力端子Ｔ２ａ」という。）および出力端子Ｔ２ｂ（以下「親機出力端子Ｔ２ｂ」という。）を備えている。ここで、親機入力端子Ｔ２ａは、第１のケーブルＬ１、親機出力端子Ｔ２ｂ、親機平衡ー不平衡変換回路２０１、増設接続検出回路２０５、終端入切回路２０６、親機データ送受信回路２０８、親機２線４線変換回路２０９、玄関子機起動電源送出回路２１０および呼出検出回路２１４に接続され、親機平衡ー不平衡変換回路２０１には親機ＦＭ復調回路２０２および親機ビデオアンプ２０３を介して親機ＣＲＴユニット２０４が、増設接続検出回路２０５には終端入切回路２０６が、親機２線４線変換回路２０９には親機受話アンプ２１１および親機送話アンプ２１２がそれぞれ接続されている。また、親機ＣＰＵ２１６は、親機出画制御回路２０７、親機データ送受信回路２０８、玄関子機起動電源送出回路２１０、親機受話アンプ２１１、親機送話アンプ２１２、呼出検出回路２１４、親機フックスイッチ２１５および親機呼出音アンプ２１７が接続され、親機出画制御回路２０７には親機ＦＭ復調回路２０２、親機ビデオアンプ２０３および親機ＣＲＴユニット２０４が、親機受話アンプ２１１には親機レシーバ２１３ａが、親機送話アンプ２１２には親機マイク２１３ｂが、親機呼出音アンプ２１７には親機拡声スピーカ２１８がそれぞれ接続されている。
【００１２】
モニタ増設親機３００は、平衡ー不平衡変換回路（以下「増設親機平衡ー不平衡変換回路」という。）３０１、ＦＭ復調回路（以下「増設親機ＦＭ復調回路」という。）３０２、ビデオアンプ（以下「増設親機ビデオアンプ」という。）３０３、ＣＲＴユニット（以下「増設親機ＣＲＴユニット」という。）３０４、終端回路３０５、出画制御回路（以下「増設親機出画制御回路」という。）３０６、データ送受信回路（以下「増設親機データ送受信回路」という。）３０７、２線４線変換回路（以下「増設親機２線４線変換回路」という。）３０８、受話アンプ（以下「増設親機受話アンプ」という。）３０９、送話アンプ（以下「増設親機送話アンプ」という。）３１０、レシーバ（以下「増設親機レシーバ」という。）３１１ａとマイク（以下「増設親機マイク」という。）３１１ｂから構成される通話装置（以下「増設親機通話装置」という。）３１１、フックスイッチ（以下「増設親機フックスイッチ」という。）３１２、ＣＰＵ（以下「増設親機ＣＰＵ」という。）３１３、呼出音アンプ（以下「増設親機呼出音アンプ」という。）３１４、拡声スピーカ（以下「増設親機拡声スピーカ」という。）３１５、電源回路（以下「増設親機電源回路」という。）３１６、増設接続通知回路３１７および入力端子（以下「増設親機入力端子」という。）Ｔ３ａを備えている。ここで、増設親機入力端子Ｔ３ａは、第２のケーブルＬ２、増設親機平衡ー不平衡変換回路３０１、終端回路３０５、増設親機データ送受信回路３０７、増設親機２線４線変換回路３０８および増設接続通知回路３１７に接続され、増設親機平衡ー不平衡変換回路３０１には増設親機ＦＭ復調回路３０２および増設親機ビデオアンプ３０３を介して増設親機ＣＲＴユニット３０４が、増設親機２線４線変換回路３０８には増設親機受話アンプ３０９および増設親機送話アンプ３１０がそれぞれ接続されている。また、増設親機ＣＰＵ３１３は、増設親機出画制御回路３０６、増設親機データ送受信回路３０７、増設親機受話アンプ３０９、増設親機送話アンプ３１０、増設親機フックスイッチ３１２および増設親機呼出音アンプ３１４に接続され、増設親機出画制御回路３０６には増設親機ＦＭ復調回路３０２、増設親機ビデオアンプ３０３および増設親機ＣＲＴユニット３０４が、増設親機受話アンプ３０９には増設親機レシーバ３１１ａが、増設親機送話アンプ３１０には増設親機マイク３１１ｂが、増設親機呼出音アンプ３１４には増設親機拡声スピーカ３１５がそれぞれ接続されている。
【００１３】
次に、このように構成された本発明のテレビインターホン装置の動作について説明する。
【００１４】
先ず、モニタ親機２００にモニタ増設親機３００が電気的に接続されていない場合には、増設接続検出回路２０５に対してモニタ増設親機が接続されている旨の信号（以下「増設親機接続信号」という。）が伝送されないことから、増設接続検出回路２０５から終端入切回路２０６に対して出力信号が送信されないことになる。従って、この場合には、終端入切回路２０６が終端の入設設定が維持されるように動作する。
【００１５】
次に、モニタ親機２００に第２のケーブルＬ２を介してモニタ増設親機３００が電気的に接続されると、増設接続通知回路３１７から、増設親機接続信号が出力され、当該増設親機接続信号が第２のケーブルＬ２を介してモニタ親機２００の増設接続検出回路２０５へ送信される。
【００１６】
かかる増設親機接続信号が増設接続検出回路２０５で検出されると、増設接続検出回路２０５から出力信号が終端入切回路２０６へ送信され、これにより、終端入切回路２０６が終端の切断設定が行われるように動作する。
【００１７】
このような状態において、来訪者がカメラ付玄関子機１００の呼出ボタン１０６を押下すると、呼出信号が、ＬＰＦ１０４および第１のケーブルＬ１を経由して、モニタ親機２００の呼出検出回路２１４へ伝送される。
【００１８】
かかる呼出信号が呼出検出回路２１４で検出されると、親機ＣＰＵ２１６の制御により、玄関子機起動電源送出回路２１０、親機出画制御回路２０７および親機呼出音アンプ２１７がそれぞれ駆動される。そして、玄関子機起動電源送出回路２１０が駆動されると、親機電源回路２１９から第１のケーブルＬ１を経由してカメラ付玄関子機１００へ動作電源が供給され、かかる動作電源が起動電圧検出回路１０５で検出されると、カメラ１０１、ＦＭ変調回路１０２、スピーカアンプ１０８およびマイクアンプ１１０の各部へ電源が供給される。また、親機出画制御回路２０７が駆動されると、親機ＦＭ復調回路２０２、親機ビデオアンプ２０３および親機ＣＲＴユニット２０４が能動状態に制御される。さらに、親機呼出音アンプ２１７が駆動されると、親機ＣＰＵ２１６から出力する呼出信号が増幅され、親機拡声スピーカ２１８から呼出音が鳴動し、居住者に対して呼出報知が行なわれる。
【００１９】
また、これと同時に、親機ＣＰＵ２１６から増設親機呼出信号が出力され、この増設親機呼出信号は、親機データ送受信回路２０８、第２のケーブルＬ２および増設親機データ送受信回路３０７を経由して増設親機ＣＰＵ３１３へ伝送される。かかる増設親機呼出信号が増設親機ＣＰＵ３１３で検出されると、増設親機ＣＰＵ３１３の制御により、増設親機出画制御回路３０６および増設親機呼出音アンプ３１４が駆動され、かかる増設親機出画制御回路３０６の駆動により、増設親機ＦＭ復調回路３０２、増設親機ビデオアンプ３０３および増設親機ＣＲＴユニット３０４が能動状態に制御される。また、増設親機呼出音アンプ３１４が駆動されると、増設親機ＣＰＵ３１３から出力する増設親機呼出信号が増幅され、増設親機拡声スピーカ３１５から呼出音が鳴動し、居住者に対して呼出報知が行なわれる。
【００２０】
一方、カメラ１０１で撮像された来訪者の映像は、ＦＭ変調回路１０２においてＦＭ変調され、ＦＭ映像信号として不平衡−平衡変換回路１０３、第１のケーブルＬ１および親機平衡−不平衡変換回路２０１を経由して親機ＦＭ復調回路２０２へ、不平衡−平衡変換回路１０３、第１、第２のケーブルＬ１、Ｌ２および増設親機平衡−不平衡変換回路３０１を経由して増設親機ＦＭ復調回路３０２へそれぞれ伝送される。かかるＦＭ映像信号は、親機ＦＭ復調回路２０２、増設親機ＦＭ復調回路３０２においてそれぞれ復調され、これにより、来訪者の映像が親機ＣＲＴユニット２０４および増設親機ＣＲＴユニット３０４にそれぞれ出画される。
【００２１】
ここで、居住者が、来訪者の映像を見ながら、増設親機通話装置３１１を取り上げて呼出応答すると、増設親機フックスイッチ３１２からの信号を検出した増設親機ＣＰＵ３１３の動作により、カメラ付玄関子機１００とモニタ増設親機３００間に通話路が形成され、また、親機通話装置２１３を取り上げて呼出応答すると、親機フックスイッチ２１５からの信号を検出した親機ＣＰＵ２１６の動作により、カメラ付玄関子機１００とモニタ親機２００間に通話路が形成さる。なお、居住者が通話を終え、親機通話装置２１３、増設親機通話装置３１１を降ろすと、親機ＣＲＴユニット２０４および増設親機ＣＲＴユニット３０４が非能動とされ、待受状態に戻る。
【００２２】
以上により、カメラ付玄関子機１００からモニタ親機２００、モニタ増設親機３００の何れかを呼び出し、呼び出された側でカメラ１０１からの映像を見ながらカメラ付玄関子機１００と通話することができる。
［第２の実施例］
図２は、本発明の第２の実施例におけるテレビインターホン装置のブロック図を示している。なお、図１に示す部分と共通する部分には同一の符号を付して詳細な説明を省略する。
【００２３】
同図において、この実施例においては、モニタ親機２００に第２のケーブルＬ２を介して第１のモニタ増設親機３００ａが接続され、第１のモニタ増設親機３００ａに第３のケーブルＬ３を介して第２のモニタ増設親機３００ｂが接続されている。ここで、第２のモニタ増設親機３００ｂは図１に示すモニタ増設親機３００と同様の構成とされ、また、第１のモニタ増設親機３００ａは図１に示すモニタ増設親機３００の増設親機入力端子Ｔ３ａに対してさらに他の増設接続検出回路３１８および他の終端入切回路３１９が接続されたもので構成されている。
【００２４】
この実施例においては、モニタ親機２００に第２のケーブルＬ２を介して第１のモニタ増設親機３００ａが電気的に接続されていることから、第１の実施例と同様に、終端入切回路２０６（図１参照）における終端の切断設定が自動的に行われている。
【００２５】
このような状態において、第１のモニタ増設親機３００ａに第２のモニタ増設親機３００ｂが電気的に接続されていない場合には、第１のモニタ増設親機３００ａの他の増設接続検出回路３１８に対して第２のモニタ増設親機３００ｂが接続されている旨の信号（以下「他の増設親機接続信号」という。）が伝送されないことから、他の増設接続検出回路３１８から他の終端入切回路３１９に対して出力信号が送信されないことになる。従って、この場合には、他の終端入切回路３１９が終端の入設設定が維持されることに動作する。
【００２６】
次に、第１のモニタ増設親機３００ａに第３のケーブルＬ３を介して第２のモニタ増設親機３００ｂが電気的に接続されると、第２のモニタ増設親機３００ｂの増設接続通知回路３１７から、他の増設親機接続信号が出力され、当該他の増設親機接続信号が第３のケーブルＬ３を介して第１のモニタ増設親機３００ａの他の増設接続検出回路３１８へ送信される。
【００２７】
かかる他の増設親機接続信号が他の増設接続検出回路３１８で検出されると、他の増設接続検出回路３１８から出力信号が他の終端入切回路３１９へ送信され、これにより、他の終端入切回路３１９が終端の切断設定が行われるように動作する。
【００２８】
この実施例においても、カメラ付玄関子機１００からモニタ親機２００、第１、第２のモニタ増設親機３００ａ、３００ｂの何れかを呼び出し、呼び出された側でカメラ付玄関子機１００からの映像を見ながらカメラ付玄関子機１００と通話することができる。
【産業上の利用可能性】
【００２９】
本発明は、特許請求の範囲内で、次のように、変更、修正を加えることができる。
【００３０】
例えば、前述の実施例においては、モニタ親機に１台若しくは２台のモニタ増設親機を直列接続した場合について説明しているが、システムの規模により、モニタ親機に３台以上のモニタ増設親機を直列接続してもよい。また、最終端の増設親機に、増設接続検出回路、終端入切回路を設けてもよい。
【図面の簡単な説明】
【００３１】
【図１】本発明の第１の実施例におけるテレビインターホン装置の一実施例を示すシステム構成図。
【図２】本発明の第２の実施例におけるテレビインターホン装置の一実施例を示すシステム構成図。
【符号の説明】
【００３２】
１００・・・カメラ付玄関子機
１０７・・・通話装置（子機通話装置）
２００・・・モニタ親機
２０４・・・ＣＲＴユニット（親機ＣＲＴユニット）
２０５・・・増設接続検出回路
２０６・・・終端入切回路
２１３・・・通話装置（親機通話装置）
３００・・・モニタ増設親機
３０４・・・ＣＲＴユニット（増設親機ＣＲＴユニット）
３１１・・・通話装置（増設親機通話装置）
３１７・・・増設接続通知回路
【図１】
2006279787.tif 000003
【図２】
2006279787.tif 000004